(57)【要約】【課題】簡単な構成で回転動作を規制して所定の角度位置に確実に位置決めすることが可能なバヨネットマウント機構を提供する。【解決手段】レンズ側マウント部１４は、マウント本体２９、接点基板３１、押え板３２、止めネジ３３、及び回転規制用ネジ３５を備える。マウント本体２９は、鏡胴部６６の後端部に固定される。マウント本体２９は、マウント基部３６と、バヨネット爪３８ａ〜ｃとを有する。回転規制用ネジ３５は、ネジ穴４１にネジ部４６を螺合させ、抜け止め部４８をマウント基部３６に当接させて、バヨネット爪３８ａとマウント基部３６との間を繋ぐ位置に固定される。レンズユニット１２をカメラボディに装着させるとき、レンズ側マウント部１４を回転動作すると、ボディ側マウント部のバヨネット爪に回転規制用ネジ３５が当接して所定の角度位置に位置決めされる。【選択図】図４
2008015267.tif 000002
【特許請求の範囲】
【請求項１】
ベース部材、及びこのベース部材と一体に形成された複数の第１のバヨネット爪を備える第１のマウント部と、前記ベース部材に当接するマウント基準面を有するマウント基部、及び前記第１のバヨネット爪に対応する複数の第２のバヨネット爪を備える第２のマウント部とからなり、前記ベース部材に前記マウント基準面を当接させた状態から、前記第１及び第２のマウント部のいずれか一方を回転する回転動作を行って前記第１及び第２のバヨネット爪を互いに噛み合わせることにより、前記マウント部同士を結合するバヨネットマウント機構において、
前記回転動作を行うときの回転軸と略平行な軸方向に沿って配され、前記第２のバヨネット爪のいずれかと、前記マウント基部とを貫通し、且つ前記マウント基部及び前記第２のバヨネット爪の少なくともに一方にネジ止めされる回転規制用ネジを前記第２のマウント部に設けており、前記回転動作を行うとき、前記第１のバヨネット爪が前記回転規制用ネジに当接して前記第１及び第２のマウント部の回転が規制されることを特徴とするバヨネットマウント機構。
【請求項２】
ベース部材及びこのベース部材と一体に形成された複数の第１のバヨネット爪を有する第１のマウント部と、前記ベース部材に当接するマウント基準面を有するマウント本体、及び前記第１のバヨネット爪に対応する複数の第２のバヨネット爪を有する第２のマウント部とからなり、前記ベース部材に前記マウント基準面を当接させた状態から、前記第１及び第２のマウント部のいずれか一方を回転する回転動作を行って前記第１及び第２のバヨネット爪を互いに噛み合わせることにより、前記マウント部同士を結合するバヨネットマウント機構において、
前記マウント本体は、金属で形成され、前記マウント基準面を有し、且つ前記第２のバヨネット爪の少なくとも一部が一体に形成されたマウント基部と、樹脂で形成され、前記回転動作を行うときの回転軸と略平行な軸方向に沿って前記マウント基部に取り付けられる樹脂成形部材とからなり、前記樹脂成形部材は、前記軸方向に沿って前記マウント基準面へ突出する回転規制突起部を一体に形成しており、前記回転動作を行うとき、前記第１のバヨネット爪が前記回転規制突起部に当接して前記第１及び第２のマウント部の回転が規制されることを特徴とするバヨネットマウント機構。
【請求項３】
請求項１又は２記載の第１及び第２のマウント部の一方を備えたカメラボディと、他方を備えたレンズユニットとからなり、前記バヨネットマウント機構の結合によって前記レンズユニット及び前記カメラボディの接続を行うカメラシステムであって、
前記第２のマウント部は、前記第１のマウント部に設けられた接点部と電気信号の授受を行う電気接点が設けられた回路基板を備えており、前記樹脂成形部材は、前記回路基板を保持する基板保持部材であり、前記回転動作を行うとき、前記第１のバヨネット爪が前記回転規制突起部に当接して回転が規制されると、前記電気接点が前記接点部に接触して前記レンズユニットと前記カメラボディとが電気的に接続されることを特徴とするカメラシステム。
【請求項４】
請求項１又は２記載の第１マウント部を備えたカメラボディと、第２のマウント部を備えたレンズユニットとからなり、前記バヨネットマウント機構の結合によって前記レンズユニット及び前記カメラボディの接続を行うカメラシステムであって、
前記樹脂成形部材は、前記レンズユニットに内蔵される撮影光学系の一部を少なくとも保持する光学系保持部材であることを特徴とするカメラシステム。
【発明の詳細な説明】
【技術分野】
【０００１】
本発明は、バヨネットマウント機構及びこれを備えたカメラシステムに関する。
【背景技術】
【０００２】
従来より、交換レンズ方式のデジタルカメラやビデオカメラなどの着脱機構としてのバヨネットマウント機構が知られており、このバヨネットマウント機構では、レンズユニット及びカメラボディにそれぞれ設けたマウント部を互いに当接した状態から回転動作することによってバヨネット爪同士を噛み合わせて結合させる。さらにこのバヨネット爪同士を所定位置で確実に噛み合わせるためには、マウント部を回転動作したとき、一方のバヨネット爪を所定の角度で停止させるように角度位置を規制する部材を他方のマウント部に設け、この回転規制部材が一方のバヨネット爪のいずれかと当接してマウント部を所定角度に位置決めすることを必要とする。そこで、特許文献１に記載されている光学機器のマウント機構では、バヨネット爪を有するマウントをプラスチックによって成形し、この部品にバヨネット爪の回転角度を規制するストッパーを一体に形成している。
【０００３】
また、従来のバヨネットマウント機構では、図１０に示すように回転角度を規制する部材としてのネジ１０１を、マウント部１００の回転軸に直交する径方向に沿ってネジ止めしている。なお、このネジ１０１は、複数のバヨネット爪１０２ａ〜ｃのうちバヨネット爪１０２ａの一端部及びマウント基部１０３に近接する位置に配設されている。そして、マウント部を回転動作したとき、このネジ１０１に相手側のバヨネット爪が当接することによって回転を規制して、所定の角度位置にバヨネット爪同士が確実に噛み合うようしている。
【０００４】
一方、近年では、デジタルカメラの新しい形態として、レンズユニットにＣＣＤなどの撮像素子を内蔵し、このレンズユニットに内蔵された撮像素子で取得した撮像信号から形成した画像データをカメラボディへ転送し、メモリカードなどの記憶媒体に記憶する構成が検討されている。このような構成のレンズユニット及びカメラボディの結合にバヨネットマウント機構を採用した場合、レンズユニットの装着時に、互いのマウント部周辺に設けた電気信号接点を接触させ、これらの接点を会して画像データなどの電気信号の授受を行わなければならない。
【特許文献１】特公平７−３４０９５号公報
【発明の開示】
【発明が解決しようとする課題】
【０００５】
しかしながら、上記特許文献１記載のバヨネットマウント機構では、マウント部の殆どをプラスチックから成形しているため強度的に不十分な可能性があり、特に上述のようなデジタルカメラにバヨネットマウント機構を備えた場合、経年劣化でプラスチック成形のバヨネット爪などが磨耗してくると位置決め精度も低下し、電気信号接点の接触に影響することが考えられる。
【０００６】
また、上述したように回転規制用部材として安価なネジを用いた場合、従来のバヨネットマウント機構では、適性なサイズのネジをマウント部に固定することが非常に困難である。すなわち、図１０に示すように回転規制用のネジ１０１はバヨネット爪１０２ａの一端部と、マウント基部１０３との間に配されており、これらのバヨネット爪１０２ａ及びマウント基部１０３の周辺は、部品同士のクリアランスが狭く、回転規制用のネジ１０１を配置するスペースが少ない。そして、バヨネット爪１０２ａ〜１０２ｃ同士の空間は、他方側のバヨネット爪が通過するスペースであり、バヨネット爪１０２ａ〜ｃとマウント基部１０３との隙間は、回転動作するときに他方側のバヨネット爪が挿入されるスペースであるから、回転規制用のネジ１０１を配置するスペースは、バヨネット爪１０２ａの一端部とマウント基部１０３との僅かな空間しかなく、使用するネジ径が小さいものに限定される。またネジ止めの際にバヨネット爪やマウント基部に干渉し易いため、組み立て工程において非常に手間が掛かっていた。
【０００７】
本発明は、上記事情に鑑みてなされたものであり、簡単な構成で回転動作を規制して所定の角度位置に確実に位置決めすることが可能なバヨネットマウント機構及びカメラシステムをローコストに提供することを目的とする。
【課題を解決するための手段】
【０００８】
上記課題を解決するために、本発明のバヨネットマウント機構では、ベース部材、及びこのベース部材と一体に形成された複数の第１のバヨネット爪を備える第１のマウント部と、前記ベース部材に当接するマウント基準面を有するマウント基部、及び前記第１のバヨネット爪に対応する複数の第２のバヨネット爪を備える第２のマウント部とからなり、前記ベース部材に前記マウント基準面を当接させた状態から、前記第１及び第２のマウント部のいずれか一方を回転する回転動作を行って前記第１及び第２のバヨネット爪を互いに噛み合わせることにより、前記マウント部同士を結合するバヨネットマウント機構において、前記回転動作を行うときの回転軸と略平行な軸方向に沿って配され、前記第２のバヨネット爪のいずれかと、前記マウント基部とを貫通し、且つ前記マウント基部及び前記第２のバヨネット爪の少なくともに一方にネジ止めされる回転規制用ネジを前記第２のマウント部に設けており、前記回転動作を行うとき、前記第１のバヨネット爪が前記回転規制用ネジに当接して前記第１及び第２のマウント部の回転が規制されることを特徴とする。
【０００９】
請求項２記載のバヨネットマウント機構では、ベース部材及びこのベース部材と一体に形成された複数の第１のバヨネット爪を有する第１のマウント部と、前記ベース部材に当接するマウント基準面を有するマウント本体、及び前記第１のバヨネット爪に対応する複数の第２のバヨネット爪を有する第２のマウント部とからなり、前記ベース部材に前記マウント基準面を当接させた状態から、前記第１及び第２のマウント部のいずれか一方を回転する回転動作を行って前記第１及び第２のバヨネット爪を互いに噛み合わせることにより、前記マウント部同士を結合するバヨネットマウント機構において、前記マウント本体は、金属で形成され、前記マウント基準面を有し、且つ前記第２のバヨネット爪の少なくとも一部が一体に形成されたマウント基部と、樹脂で形成され、前記回転動作を行うときの回転軸と略平行な軸方向に沿って前記マウント基部に取り付けられる樹脂成形部材とからなり、前記樹脂成形部材は、前記軸方向に沿って前記マウント基準面へ突出する回転規制突起部を一体に形成しており、前記回転動作を行うとき、前記第１のバヨネット爪が前記回転規制突起部に当接して前記第１及び第２のマウント部の回転が規制されることを特徴とする。
【００１０】
また、請求項３記載のカメラシステムでは、請求項１又は２記載の第１及び第２のマウント部の一方を備えたカメラボディと、他方を備えたレンズユニットとからなり、前記バヨネットマウント機構の結合によって前記レンズユニット及び前記カメラボディの接続を行うカメラシステムであって、前記第２のマウント部は、前記第１のマウント部に設けられた接点部と電気信号の授受を行う電気接点が設けられた回路基板を備えており、前記樹脂成形部材は、前記回路基板を保持する基板保持部材であり、前記回転動作を行うとき、前記第１のバヨネット爪が前記回転規制突起部に当接して回転が規制されると、前記電気接点が前記接点部に接触して前記レンズユニットと前記カメラボディとが電気的に接続されることを特徴とする。
【００１１】
さらにまた、請求項４記載のカメラシステムでは、請求項１又は２記載の第１マウント部を備えたカメラボディと、第２のマウント部を備えたレンズユニットとからなり、前記バヨネットマウント機構の結合によって前記レンズユニット及び前記カメラボディの接続を行うカメラシステムであって、前記樹脂成形部材は、前記レンズユニットに内蔵される撮影光学系の一部を少なくとも保持する光学系保持部材であることを特徴とする。
【発明の効果】
【００１２】
本発明のバヨネットマウント機構及びこれを用いたカメラシステムによれば、マウント部の回転動作を行うときの回転軸と略平行な軸方向に沿って配され、第２のバヨネット爪のいずれかと、マウント基部とを貫通し、且つマウント基部及び第２のバヨネット爪の少なくともに一方にネジ止めされる回転規制用ネジを第２のマウント部に設けており、前記回転動作を行うとき、第１のバヨネット爪が回転規制用ネジに当接して前記第１及び第２のマウント部の回転が規制されるので、簡単な構成で回転動作を規制して所定の角度位置に確実に位置決めすることができる。
【００１３】
また、金属で形成され、前記マウント基準面を有し、且つ第２のバヨネット爪の少なくとも一部が一体に形成されたマウント基部と、樹脂で形成され、前記回転動作を行うときの回転軸と略平行な軸方向に沿って前記マウント基部に取り付けられる樹脂成形部材とからマウント本体を構成し、樹脂成形部材は、軸方向に沿ってマウント基準面へ突出する回転規制突起部を一体に形成しており、回転動作を行うとき、第１のバヨネット爪が回転規制突起部に当接して第１及び第２のマウント部の回転が規制されるので、簡単な構成で回転動作を規制して所定の角度位置に確実に位置決めすることが可能であり、またマウントの一部を構成する樹脂成形部材に回転規制突起部を形成しているため、コスト増加を抑制することができる。
【発明を実施するための最良の形態】
【００１４】
図１において、デジタルカメラ１０は、カメラボディ１１とレンズユニット１２とから構成されたカメラシステムであり、レンズユニット１２は、カメラボディ１１に着脱自在に装着される。カメラボディ１１には、ボディ側マウント部１３（第１のマウント部）が設けられており、レンズユニット１２には、レンズ側マウント部１４（第２のマウント部）が設けられている。これらマウント部１３，１４から本発明のバヨネットマウント機構１５が構成される。
【００１５】
ボディ側マウント部１３は、図２に示すように、リング状に形成されたベース部材２１と、このベース部材２１と一体に形成された３つのバヨネット爪２２ａ〜ｃと、ベース部材２１の開口部を塞ぐバリア部材２３と、レンズユニット１２との電気的接続のための接点基板２４ａ〜ｃと、コイルバネ２５（図５参照）と、ロックピン２６とを有する。なお、図２においては、マウント部１３の構成を表しやすくするため、バリア部材２３が退避位置に後退した状態を図示している。バヨネット爪２２ａ〜ｃは、ベース部材２１の内周面から中央へ向かって突出するように形成されている。バリア部材２３は、コイルバネ２５によって背面側からベース部材２１側へ向かって付勢されている。なお、本実施形態においては、マウント部１３、１４ともに３個のバヨネット爪を設けているが、本発明はこれに限るものではなく、バヨネット爪の個数は２個あるいは４個でもよい。
【００１６】
また、ベース部材２１には、ロックピン２６が取り付けられており、レンズユニット１２がカメラボディ１１に装着された時に、このロックピン２６が、レンズユニット１２の背面に形成された係合穴４３（図３参照）と係合して、レンズユニット１２の回転がロックされる。これにより、レンズユニット１２が回転してカメラボディ１１から脱落することが防止される。
【００１７】
接点基板２４ａ〜ｃは、バヨネット爪２２ａ〜ｃの背後にそれぞれ配置されている。この接点基板２４ａ〜ｃは、接点群２７ａ〜ｃをそれぞれ有する。接点群２７ａ〜ｃは、接点基板２４ａ〜ｃにそれぞれ実装された複数（本実施形態では接点基板２４ａ〜ｃに各６６個ずつ）の接点２８からなり、レンズユニット４をカメラボディ３に装着させるときの回転方向に沿って並列に配置されている。なお、接点の位置及び個数はこれらに限らず、適宜変更してもよい。
【００１８】
レンズ側マウント部１４は、詳しくは図３、図４に示すように、マウント本体２９、接点基板３１、押え板３２、止めネジ３３、及び回転規制用ネジ３５を備える。マウント本体２９は、鏡胴部６６の後端部に固定される。
【００１９】
マウント本体２９は、詳しくは図４に示すように、マウント基部３６と、このマウント基部３６の略中央に位置する円筒部３７と、円筒部３７の外周から突出するバヨネット爪３８ａ〜ｃとが一体に設けられている。マウント基部３６は、略円盤型の板状に形成されており、後述する貫通穴４２、及び係合穴４３が形成されている。この係合穴は、レンズユニット４のカメラボディ３への装着時にロックピン２６と係合する。マウント基部３６の後端面３６ａは、カメラボディ１１への装着を行う際のマウント基準面であり、図５に示すように、カメラボディ１１への装着時にボディ側マウント部１３のベース部材２１の前端面２１ａに当接させる。
【００２０】
さらに、本実施形態では、バヨネット爪３８ａ〜ｃのうち、１つのバヨネット爪３８ａにネジ穴４１を形成し、さらにこのネジ穴４１と対面する位置にあるマウント基部３６に貫通穴４２を形成している。ネジ穴４１は、カメラボディ１１への装着時に回転動作を行うときの回転軸、すなわち、マウント基部３６及び円筒部３７の中心軸ＣＬと略平行な方向に沿って形成されており、さらに、このネジ穴４１と同軸上に貫通穴４２が形成されている。貫通穴４２は、上述したマウント基部３６の後端面（マウント基準面）３６ａから裏側の前端面３６ｂまで貫通されている。
【００２１】
回転規制用ネジ３５は、ネジ穴４１に螺合するネジ部４６がその先端部に形成され、さらにこのネジ部４６と同軸上且つ連続して形成され、貫通穴４２に嵌合する嵌合部４７と、ネジ部４６とは反対側の端部に形成された抜け止め部４８とを有する。ネジ穴４１及びネジ部４６は、貫通穴４２及び嵌合部４７よりも径が小さく、抜け止め部４８は、貫通穴４２より径が大きく形成されている。回転規制用ネジ３５をマウント本体２９に取り付けるときには、前端面３６ｂ側から貫通穴４２へネジ部４６を通過してネジ穴４１にネジ部４６を螺合させるとともに、貫通穴４２に嵌合部４７を嵌合させる。そして、抜け止め部４８がマウント基部３６の前端面３６ｂに当接する位置まで螺合させることで、回転規制用ネジ３５は、バヨネット爪３８ａとマウント基部３６との間を繋ぐ位置に固定される。
【００２２】
さらにマウント本体２９には、図４に示すように、円筒部３７の後端面からバヨネット爪３８ａ〜ｃへと連続して切り欠かれた開口部５１が形成されている。開口部５１は、円筒部３７の外形よりも一回り小さい円形状の周縁からバヨネット爪３８ａ〜ｃに合わせた３つの扇形状が突出する形状となっている。なお、本実施形態では、開口部５１とネジ穴４１とは位置をずらして形成されており、マウント本体２９に取り付ける回転規制用ネジ３５と接点基板３１とが干渉しない配置となっている。また、開口部５１の内部には、３つのネジ穴５１ａが形成されている。
【００２３】
接点基板３１は、詳しくは図４に示すように、マウント本体２９の開口部５１に合わせた形状となっており、開口部５１に嵌め込まれてマウント本体２９に固定される。この接点基板３１は、中央の円盤部５２と、この円盤部５２から突出する突出部５３ａ〜ｃからなる。突出部５３ａ〜ｃは、バヨネット爪３８ａ〜ｃの内側にそれぞれ嵌め込まれる。この突出部５３ａ〜ｃには、電気信号接点としての接点群５４ａ〜ｃがそれぞれ実装されている。また、接点基板３１には、ネジ穴３１ａが形成されている。接点群５４ａ〜ｃは、カメラボディ１１の接点基板２４ａ〜ｃに形成された接点群２７ａ〜ｃの位置に合わせて形成されており、接点群２７ａ〜ｃを構成する接点２８と同数の接点５６からなる。
【００２４】
押え板３２は、接点基板３１の円盤部５２に合わせて形成されており、ネジ穴３２ａを有する。接点基板３１は、マウント本体２９及び押え板３２の間に挟み込まれ、ネジ穴５１ａ、３１ａ、３２ａに止めネジ３３を螺合させて共締めすることによって固定される。このようにしてマウント本体２９に回転規制用ネジ３５、及び接点基板３１、押え板３２を取り付けることでレンズ側マウント部１４が組み立てられる。
【００２５】
レンズユニット１２の接点基板３１に形成された接点５６は、カメラボディ１１への装着時に、レンズユニット１２が所定の角度位置で停止したときに、カメラボディ１１の接点基板２４ａ〜ｃに形成された接点２８とそれぞれ接触する。これによってカメラボディ１１とレンズユニット１２とが電気的に接続される。
【００２６】
また、図１に示すように、本実施形態が適用されたカメラボディ１１の前面には、マウント部１３の近傍に、ロック解除ボタン６１が設けられている。レンズユニット１２がカメラボディ１１に装着された状態で、このロック解除ボタン６１が押圧操作されると、この操作に連動してロックピン２６が後方に移動し、ロックピン２６と係合孔４３との係合が解除される。ロック解除ボタン６１を押圧しながら、レンズユニット１２を回転方向Ａと反対の方向へ回転させることによって、レンズユニット１２をカメラボディ１１から取り外すことができる。さらにまた、カメラボディ１１の前面上部には、ストロボ６２が設けられている。カメラボディ１１の上面には、撮影を行う際に押圧操作されるシャッタボタン６３と、撮影モードと再生モードとを切り替える際に回転操作される切り替えダイヤル６４とが設けられている。さらに、カメラボディ１１の背面には、電源スイッチおよびＬＣＤ（図示せず）などが設けられている。
【００２７】
さらにまた、レンズユニット１２は、レンズ鏡胴６６及び上述したマウント部１４からなり、レンズ鏡胴６６の前面には、撮影レンズ６７が露呈されており、後端部には、ネジ止めなどによってマウント部１４が固定される。また、このレンズユニット１２内には、撮影レンズ６７によって結像された被写体像を撮像する固体撮像素子であるＣＣＤイメージセンサ（以下、単にＣＣＤと称する）６８や、制御用の回路基板などが設けられている。
【００２８】
なお、レンズユニット１２としては、撮影レンズ１３の焦点距離が異なるものや、ＣＣＤ１６の画素数が異なるもの、モノクロ撮影が可能なもの、赤外線撮影が可能なものなど、各種タイプが交換可能に用意される。
【００２９】
上記構成の作用について説明する。レンズユニット１２をカメラボディ１１へ装着するときには、先ず、カメラボディ１１のバヨネット爪２２ａ〜ｃの間に、レンズユニット１２のバヨネット爪３８ａ〜ｃの位置を合わせて内部へ挿入し、マウント基準面３６ａをベース部材２１の前端面２１ａに接触させる。そしてこの接触状態を保持したまま、レンズユニット１１をカメラボディに対して回転方向Ａに沿って回転させる。この回転方向Ａに沿って回転動作を行うと、バヨネット爪２２ａに回転規制用ネジ３５が当接する（図５に示す状態）。回転規制用ネジ３５がバヨネット爪２２ａに当接したレンズユニット１１は回転方向Ａにおける回転が規制され、バヨネット爪２２ａ〜ｃとバヨネット爪３８ａ〜ｃとが互いに噛み合う所定の角度位置に位置決めされる。そして、マウント部１４の係合穴４３にロックピン６２が係合してロックされ、レンズユニット１１が装着状態となる。このようにして回転規制用ネジ３５によってレンズユニット１２の回転が規制されるため、バヨネット爪２２ａ〜ｃ，３８ａ〜ｃ同士が確実に噛み合い、カメラボディ１１とレンズユニット１２とを高い精度で結合させることができる。また、マウント部１３，１４同士が所定の角度位置で位置決めされるから、接点２４ａ〜ｃ及び接点３８ａ〜ｃがそれぞれ電気的に接続し、電気信号の授受を行うことが可能となる。さらに、回転規制用ネジ３５を、回転軸ＣＬと略平行な方向に沿って取り付けてマウント本体２９に固定させているため、回転規制用ネジ３５のサイズ選択をするうえでの自由度が高く、バヨネット爪３８ａ〜ｃ周辺のスペース効率が向上する。よって、回転規制用ネジ３５の組み付け工程が容易になり、コストダウンを図ることができる。
【００３０】
なお、上記第１の実施形態においては、回転規制用ネジをバヨネット爪に当接させて回転動作を規制する構成を例示しているが、本発明はこれに限るものではなく、以下に説明する本発明の第２実施形態では、マウントの一部を構成する樹脂成形部材に回転規制突起部を一体に形成し、この回転規制突起部によって、マウント部の回転動作を規制する構成を示す。この第２実施形態を適用したデジタルカメラの一例を図６〜図８に示す。なお、本実施形態に示すデジタルカメラでは、上記実施形態と同様の部品及び部材を用いたものについては、同符号を付して説明を省略する。また、カメラボディ及びボディ側マウント部については、上記実施形態と同様の構成のため説明を省略する。
【００３１】
レンズユニット７０は、鏡胴部６６及びレンズ側マウント部７１を備える。本実施形態では、このレンズ側マウント部（第２のマウント部）７１と、ボディ側マウント部（第１のマウント部）１１からバヨネットマウント機構を構成する。レンズ側マウント部７１は、詳しくは図６及び図７に示すように、マウント本体７２、基板保持部材（樹脂成形部材）７３、接点基板３１、抑え板３２、及び止めネジ３３などからなる。マウント本体７２は、鏡胴部６６に固定される。このマウント本体７２は、マウント基部７６と、このマウント基部７６の略中央に位置する円筒部７７と、ネジ止めボス７８と、バヨネット爪本体７９ａ〜ｃとが一体に形成されている。
【００３２】
マウント基部７６は、略円盤型の板状に形成されており、係合穴８０が形成されている。この係合穴８０は、カメラボディ１１への装着時にロックピン２６と係合する。また、マウント基部７６の後端面７６ａは、カメラボディ１１への装着を行う際のマウント基準面であり、図８に示すように、カメラボディ１１への装着時にベース部材２１の前端面２１ａに当接させる。バヨネット爪本体７９ａ〜ｃは、円筒部７７の外周面から突出するように配されている。また、ネジ止めボス７８は、円筒部７７の内部に位置する。
【００３３】
基板保持部材７３は、図７に示すように、円盤部８１と、この円盤部８１の外周から突出する突出部８２ａ〜ｃと、開口部８３と、嵌合凸部８４と、回転規制突起部８５とからなる。なお、本実施形態においては、突出部８２ａ〜ｃのうちの１つの突出部８２ａに回転規制突起部８５が一体に形成されている。回転規制突起部８５は、ボディ側マウント部への装着時にマウント部７１を回転動作するときの回転軸、すなわち、マウント本体７２の中心軸ＣＬと略平行な方向に沿って延びるように形成されている。開口部８３は、接点基板３１の外形に合わせて形成されている。嵌合凸部８４は、円筒部７７の内周面７７ａに合わせて周囲より一段凸となっている。また、基板保持部材７３は、開口部８３の内部にネジ穴７３ａを有する。
【００３４】
なお、基板保持部材７３の突出部８２ａ〜ｃは、マウント本体７２のバヨネット爪本体７９ａ〜ｃとほぼ同位置、且つ外形が同様に形成されており、基板保持部材７３をマウント本体７２に取り付けたとき、これらの突出部８２ａ〜ｃ及びバヨネット爪本体７９ａ〜ｃがそれぞれ一体となってバヨネット爪８６ａ〜ｃ（図６参照）を形成する。
【００３５】
レンズ側マウント部７１を組み立てるときには、バヨネット爪本体７９ａ〜ｃの位置に突出部８２ａ〜ｃの位置を合わせつつ、回転軸ＣＬに沿って基板保持部材７３の嵌合凸部８４を円筒部７７の内周面７７ａに嵌合させる。さらに基板保持部材７３の開口部８３に接点基板３１を嵌め込む。そして押え板３２及び基板保持部材７３の間に接点基板３１を挟み込み、ネジ穴３１ａ，３２ａ，７３ａ及びネジ止め用ボス７８に止めネジ３３を螺合させて共締め固定することによってレンズ側マウント部７１が組み立てられる。
【００３６】
本実施形態の作用について以下に説明する。レンズユニット７０をカメラボディ１１へ装着するときは、カメラボディ１１のバヨネット爪２２ａ〜ｃの間に、レンズユニット７０のバヨネット爪８６ａ〜ｃの位置を合わせて内部へ挿入し、マウント基準面７６ａをベース部材２１の前端面２１ａに接触させる。そして、この接触状態を保持したまま、レンズユニット７０をカメラボディ１１に対して回転方向Ａに沿って回転させる。この回転動作を行うと、バヨネット爪２２ａに回転規制突起部８５が当接してレンズユニット７０の回転が規制され、バヨネット爪２２ａ〜ｃとバヨネット爪８６ａ〜ｃとが互いに噛み合う所定の角度位置に位置決めされる。このようにして回転規制突起部８５によって回転が規制されるため、マウント部１３，７１が高い精度で結合することができる。さらに、回転規制突起部８５を、基板保持部材と一体に形成し、この基板保持部材７３をプラスチックで成形しているため、部品点数を減少し、コスト増加も抑制することができる。また、マウント本体７２は金属で形成しているため、マウント部７１は十分な強度を有することができる。
【００３７】
なお、上記第２実施形態において、回転規制突起部８５の強度をさらに確保したい場合、図９に示すように、回転規制突起部８５をマウント本体７２にネジ止めする補強用ネジ９０を備える構成にすればよい。なお、この補強用ネジ９０は、マウント本体７２の中心軸と略平行な軸方向に沿って配されていることが好ましい。これによって、上記第１実施形態と同様にネジ選択の自由度が高くなり、コストダウンを図るうえで有利となる。
【００３８】
また、上記第２実施形態においては、回路基板を保持する基板保持部材に回転規制突起部を一体に形成する構成としているが、これに限るものではなく、マウント部の一部を構成する部品であればよく、例えば、レンズユニットに内蔵される撮影光学系のいずれかのレンズを保持する光学系保持部材に、回転規制突起部を一体に形成した樹脂成形部材を使用し、この光学系保持部材を金属製のマウント本体に固定する構成にすればよい。
【図面の簡単な説明】
【００３９】
【図１】デジタルカメラの構成を示す斜視図である。
【図２】カメラボディのマウント部の構成を示す平面図である。
【図３】レンズユニットのマウント部周辺の構成を示す斜視図である。
【図４】レンズ側マウント部の構成を示す分解斜視図である。
【図５】マウント部が互いに結合したバヨネットマウント機構周辺の要部断面図である。
【図６】第２実施形態を適用したレンズユニットのマウント部周辺の構成を示す斜視図である。
【図７】第２実施形態を適用したレンズ側マウント部の構成を示す分解斜視図である。
【図８】第２実施形態を適用したマウント部が互いに結合したバヨネットマウント機構周辺の要部断面図である。
【図９】第２実施形態の変形例を示す要部断面図である。
【図１０】従来のマウント部の外観斜視図である。
【符号の説明】
【００４０】
１０  デジタルカメラ
１１  カメラボディ
１２  レンズユニット
１３  ボディ側マウント部（第１のマウント部）
１４，７１  レンズ側マウント部（第２のマウント部）
１５  バヨネットマウント機構
２２ａ〜ｃ  バヨネット爪（第１のバヨネット爪）
３８ａ〜ｃ，８６ａ〜ｃ  バヨネット爪（第２のバヨネット爪）
３５  回転規制用ネジ
７３  基板保持部材（樹脂成形部材）
８５  回転規制突起部
【図１】
2008015267.tif 000003
【図２】
2008015267.tif 000004
【図３】
2008015267.tif 000005
【図４】
2008015267.tif 000006
【図５】
2008015267.tif 000007
【図６】
2008015267.tif 000008
【図７】
2008015267.tif 000009
【図８】
2008015267.tif 000010
【図９】
2008015267.tif 000011
【図１０】
2008015267.tif 000012